(57)【要約】  面発光する複数のブロックで配列された有機発光層３２を有する有機ＥＬパネル２０と、カメラ３により有機ＥＬパネル２０が撮像された撮像データに基づいて生成された補正データを記憶するメモリ１２と、補正データに基づいて、複数のブロック間の輝度が均一になるように、ブロックごとに有機パネル２０を発光させる制御設定値を決定する調光回路１３とを備える。
2013128565.tif 000002
【特許請求の範囲】
【請求項１】
面発光する複数のブロックで配列された発光層を有する発光パネルと、
カメラにより前記発光パネルが撮像された撮像データに基づいて生成された補正データを記憶する記憶部と、
前記補正データに基づいて、前記複数のブロック間の輝度が均一になるように、前記ブロックごとに前記発光パネルを発光させる制御設定値を決定する決定部と、
を備えたことを特徴とする照明補正装置。
【請求項２】
輝度の基準となる複数のブロックで配列された発光層を有する基準発光パネルを前記カメラで撮像した撮像データに基づいて、前記基準発光パネルが有する発光層のブロックごとの輝度を基準輝度として算出する基準輝度算出部と、
前記発光パネルを前記カメラで撮像した撮像データに基づいて、前記発光パネルが有する発光層のブロックごとの輝度を補正対象輝度として算出する輝度算出部と、
前記基準輝度に基づいて、前記補正対象輝度を補正するための前記補正データを生成し、前記記憶部に記憶させる補正データ生成部と、
を備えたことを特徴とする請求項１記載の照明補正装置。
【請求項３】
前記発光層は、自発光素子を用いて成形されている
ことを特徴とする請求項１又は２記載の照明補正装置。
【請求項４】
前記発光層は、有機ＥＬ素子を用いて成形されている
ことを特徴とする請求項１又は２記載の照明補正装置。
【請求項５】
前記発光パネルと前記基準発光パネルとは、同一の立体形状を有する
ことを特徴とする請求項２記載の照明補正装置。
【発明の詳細な説明】
【技術分野】
【０００１】
本発明は、面発光する照明装置に対して、照明の均一性を得るために照明装置への出力値を補正する照明補正装置に関する。
【背景技術】
【０００２】
近年、一部の携帯型機器などのフラットパネルディスプレイ（ＦＰＤ）では、面発光する発光素子として、有機ＥＬ（electroluminescence）素子が用いられることが多くなっている。【０００３】
この有機ＥＬ素子は直流の低電圧により駆動されることで高い発光効率を有し、軽量かつ薄型化が可能であると共に、ほとんど発熱がないという特質を有している。【０００４】
また、有機ＥＬ素子はＥＬ発光層に用いる素材の選択により、Ｒ（赤）、Ｇ（緑）、Ｂ（青）やその他の発光色を得ることができ、この各発光色を単独で、または二種以上の発光色を組み合わせることにより、白色もしくはこれに近い発光色を得ることも可能となる。そこで、有機ＥＬ素子を面発光源として有機ＥＬ照明装置として構成することで、例えば装飾用の光源や、室内等を照明する高効率な光源としての普及が期待されている。【０００５】
例えば、特許文献１には、透明の基板上に透明電極、面発光源である有機ＥＬ素子を有する有機発光層、背面電極が順次積層された有機ＥＬ照明装置が提案されている。【０００６】
また、特許文献２には、製造の不均一により発生する液晶パネルの補正データを生成する画像補正データ生成方法が提案されている。
【先行技術文献】
【特許文献】
【０００７】
【特許文献１】特開２００７−２２７５２３号公報
【特許文献２】特許第４６８１０３３号公報
【発明の概要】
【発明が解決しようとする課題】
【０００８】
特許文献１に記載の有機ＥＬ照明装置では、面発光源である有機ＥＬ素子が均一な輝度を持つことを前提に、有機ＥＬパネル全体に対して背面電極を正極、透明電極を負極として駆動電圧が印加されるようになっている。【０００９】
しかしながら、有機ＥＬパネル全体で制御するので、有機ＥＬパネルの中央部と端部とでは、送電する際の抵抗等の影響により、輝度が不均一となる場合がある。【００１０】
特許文献２に記載の画像補正データ生成方法では、画素単位で制御する液晶パネルを対象に、各画素の製造の不均一により発生する表示むらを抑制するため、出力画像データに対してバンドパスフィルタリングを行うものである。しかしながら、画素単位で制御する液晶パネルを前提とした技術を、有機ＥＬパネル全体で制御する有機ＥＬ照明装置には適用することができなかった。【００１１】
本発明は、このような課題に鑑みてなされたものであり、有機ＥＬ照明装置において、輝度が均一になるように発光させる照明補正装置を提案することを目的とする。
【課題を解決するための手段】
【００１２】
前記目的を達成するため、本発明に係る照明補正装置の第１の特徴は、面発光する複数のブロックで配列された発光層を有する発光パネルと、カメラにより前記発光パネルが撮像された撮像データに基づいて生成された補正データを記憶する記憶部と、前記補正データに基づいて、前記複数のブロック間の輝度が均一になるように、前記ブロックごとに前記発光パネルを発光させる制御設定値を決定する決定部と、を備えたことにある。【００１３】
また、本発明に係る照明補正装置の第２の特徴は、輝度の基準となる複数のブロックで配列された発光層を有する基準発光パネルを前記カメラで撮像した撮像データに基づいて、前記基準発光パネルが有する発光層のブロックごとの輝度を基準輝度として算出する基準輝度算出部と、前記発光パネルを前記カメラで撮像した撮像データに基づいて、前記発光パネルが有する発光層のブロックごとの輝度を補正対象輝度として算出する輝度算出部と、前記基準輝度に基づいて、前記補正対象輝度を補正するための前記補正データを生成し、前記記憶部に記憶させる補正データ生成部と、を備えたことにある。【００１４】
また、本発明に係る照明補正装置の第３の特徴は、前記発光層は、自発光素子を用いて成形されていることにある。【００１５】
また、本発明に係る照明補正装置の第４の特徴は、前記発光層は、有機ＥＬ素子を用いて成形されていることにある。【００１６】
また、本発明に係る照明補正装置の第５の特徴は、前記発光パネルと前記基準発光パネルとは、同一の立体形状を有することにある。
【発明の効果】
【００１７】
本発明の照明補正装置によれば、有機ＥＬ照明装置において、輝度が均一になるように発光させることができる。
【図面の簡単な説明】
【００１８】
【図１】本発明の実施形態１に係る照明補正装置を含む照明補正システムの全体構成図を示す図である。
【図２】本発明の実施形態１に係る照明補正装置を含む照明補正システムの機能構成を示す図である。
【図３】本発明の実施形態１に係る照明補正装置において、電源のスイッチが押下操作された際の処理手順を示したフローチャートである。
【図４】本発明の実施形態２に係る照明補正装置を含む照明補正システムの全体構成図を示す図である。
【図５】本発明の実施形態４に係る照明補正装置を含む照明補正システムの機能構成を示す図である。
【図６】本発明の実施形態２に係る照明補正装置を含む照明補正システムにおける基準輝度算出処理を示したフローチャートである。
【図７】本発明の実施形態２に係る照明補正装置を含む照明補正システムにおける補正データ生成処理を示したフローチャートである。
【図８】本発明の実施形態２に係る照明補正装置において、電流値又は電圧値に対する輝度の特性を示した図である。
【発明を実施するための形態】
【００１９】
（実施形態１）
以下、本発明に係る照明補正装置の実施形態１について説明する。
【００２０】
＜構成の説明＞
図１は、本発明の実施形態１に係る照明補正装置を含む照明補正システムの全体構成図を示す図である。
【００２１】
図１に示すように、この照明補正システム１００は、照明補正装置１と、演算処理装置２と、カメラ３とを備えている。
【００２２】
照明補正装置１は、制御部１０と、有機ＥＬパネル２０を有し、制御部１０からの制御信号により有機ＥＬパネル２０を発光させる装置である。
【００２３】
有機ＥＬパネル２０は、透明電極３１、有機発光層３２と、背面電極３３とが順次積層させている。有機発光層３２は、面発光する有機ＥＬ（electroluminescence）素子を用いて、９つの領域に分割して、ブロック２１〜２９で配列されている。後述するが、このブロック２１〜２９間の輝度が均一になるように補正されて、有機発光層３２が発光される。
【００２４】
カメラ３は、所定位置に固定された固定式の撮像装置であり、照明補正装置１を撮像し、撮像した画像データを演算処理装置２へ供給する。
【００２５】
演算処理装置２は、カメラ３により撮像された画像データに基づいて、ブロック２１〜２９間の輝度を均一にするための補正データを生成する。
【００２６】
図２は、本発明の実施形態１に係る照明補正装置１を含む照明補正システム１００の機能構成を示す図である。
【００２７】
図２に示すように、照明補正システム１００は、照明補正装置１と、演算処理装置２と、カメラ３とを備えている。そのうち、演算処理装置２と、カメラ３との構成については、上述したので、説明を省略する。
【００２８】
照明補正装置１は、制御部１０と、有機ＥＬパネル２０と、電源回路４１と、調光入力部４２とを備えている。
【００２９】
有機ＥＬパネル２０は、上述したように、面発光する９つのブロック２１〜２９で配列された有機発光層３２を有している。この有機発光層３２を表裏から挟むように、透明電極３１及び背面電極３３とが設けられており、有機発光層３２のブロック２１〜２９それぞれに対応する透明電極３１及び背面電極３３が印加されることにより、有機発光層３２のブロック２１〜２９それぞれが発光する。
【００３０】
電源回路４１は、制御部１０や、制御部１０を介して有機ＥＬパネル２０へ電圧を印加する。
【００３１】
調光入力部４２は、ユーザ操作により、有機ＥＬパネル２０の調光ボリュームの設定を行う。例えば、調光入力部４２は、スライド式のスイッチを有し、このスイッチのスライド量の応じた調光ボリュームを制御部１０へ供給する。
【００３２】
制御部１０は、記憶制御部１１と、メモリ１２と、調光回路１３とを備える。
【００３３】
記憶制御部１１は、カメラ３により有機ＥＬパネル２０が撮像された撮像データに基づいて演算処理装置２により生成された補正データをメモリ１２に記憶させる。この補正データは、９つのブロック２１〜２９間の輝度が均一になるように演算処理装置２により生成され、照明補正装置１へ供給されたものである。
【００３４】
メモリ１２は、例えば、不揮発性半導体等で構成され、記憶制御部１１の指示により、演算処理装置２により生成された補正データを記憶する。具体的には、メモリ１２は、ブロック２１〜２９毎に、電流値及び電圧値それぞれの補正データを記憶している。
【００３５】
調光回路１３は、補正データに基づいて、９つのブロック２１〜２９間の輝度が均一になるように、９つのブロック２１〜２９毎に有機ＥＬパネル２０を発光させる制御設定値を決定する。例えば、調光回路１３は、メモリ１２に記憶された補正データに基づいて、９つのブロック２１〜２９間の輝度が均一になるように、９つのブロック２１〜２９毎に、制御設定値として、有機ＥＬパネル２０へ印加させる電圧値及び電流値を決定する。
【００３６】
そして、調光回路１３は、決定された制御設定値に基づいて、有機発光層３２のブロック２１〜２９それぞれに対応する透明電極３１及び背面電極３３に、電流及び電圧を印加する。
【００３７】
＜動作の説明＞
次に、本発明の実施形態１に係る照明補正装置１の動作について説明する。
【００３８】
図３は、本発明の実施形態１に係る照明補正装置１において、電源のスイッチが押下操作された際の処理手順を示したフローチャートである。
【００３９】
図３に示すように、照明補正装置１の制御部１０の調光回路１３は、カウンタの値に初期値として、“１”を代入する（ステップＳ１０１）。
【００４０】
次に、調光回路１３は、ｎ番目のブロックについて、調光ボリュームに比例した電流値及び電圧値を算出する（ステップＳ１０３）。具体的には、調光回路１３は、調光入力部４２から、ユーザ操作に基づいて供給された調光ボリュームに比例した電流値及び電圧値を算出する。なお、ここでは、９つのブロックは、ブロック２１〜２９の順に割り付けられているとする。
【００４１】
そして、調光回路１３は、メモリ１２からｎ番目のブロックの補正データを読み込む（ステップＳ１０５）。
【００４２】
次に、調光回路１３は、最終の電流値及び電圧値を決定する（ステップＳ１０７）。具体的には、ステップＳ１０３において算出されたｎ番目のブロックの電流値及び電圧値に、それぞれステップＳ１０５において読み込んだｎ番目のブロックの補正データを加算することにより最終の電流値及び電圧値を制御設定値として決定する。
【００４３】
そして、決定された最終の電流値及び電圧値に基づいて、ｎ番目のブロック目に電流・電圧を印加する（ステップＳ１０９）。具体的には、調光回路１３は、有機発光層３２のｎ番目のブロック目に対応する透明電極３１及び背面電極３３に、電流・電圧を印加する。
【００４４】
次に、調光回路１３は、全ての調光が終了したか否かを判定する（ステップＳ１１１）。具体的には、調光回路１３は、９つのブロック２１〜２９に対して調光が完了したか否かを判定する。
【００４５】
ステップＳ１１１において、全ての調光が終了していないと判定された場合（ＮＯの場合）、調光回路１３は、カウンタｎの値に、“１”だけ加算する（ステップＳ１１３）。
【００４６】
このように、調光回路１３は、ブロック２１〜２９に応じて電流・電圧を印加することができる。
【００４７】
以上のように、本発明の実施形態１に係る照明補正装置１によれば、面発光する複数のブロックで配列された有機発光層３２を有する有機ＥＬパネル２０と、カメラ３により有機ＥＬパネル２０が撮像された撮像データに基づいて生成された補正データを記憶するメモリ１２と、補正データに基づいて、複数のブロック間の輝度が均一になるように、ブロックごとに有機パネルを発光させるための制御設定値を決定する調光回路１３とを備えるので、有機ＥＬパネル２０のブロック２１〜２９間において輝度が均一になるように発光させることができる。
【００４８】
（実施形態２）
以下、本発明に係る照明補正装置の実施形態２について説明する。
【００４９】
＜構成の説明＞
図４は、本発明の実施形態２に係る照明補正装置を含む照明補正システムの全体構成図を示す図である。
【００５０】
図４に示すように、この照明補正システム１００は、照明補正装置１Ａと、演算処理装置２と、カメラ３とを備えている。このうち、演算処理装置２と、カメラ３とについては、本発明の実施形態１に係る照明補正装置１が備える同一符号が付された構成と同一であるので、説明を省略する。
【００５１】
照明補正装置１Ａは、制御部１０Ａと、有機ＥＬパネル２０Ａを有し、制御部１０Ａからの制御信号により有機ＥＬパネル２０Ａを発光させる装置である。
【００５２】
有機ＥＬパネル２０Ａは、透明電極３１、有機発光層３２と、背面電極３３とを順次積層させている。有機発光層３２は、面発光する有機ＥＬ（electroluminescence）素子を用いて、９つの領域に分割して、ブロック２１〜２９で配列されている。後述するが、このブロック２１〜２９間の輝度が均一になるように補正されて、有機発光層３２が発光される。
【００５３】
また、有機ＥＬパネル２０Ａは、立体形状を有している。具体的には、上下方向の中央部からカメラ３までの距離が相対的に短く、上下端部からカメラ３までの距離が相対的に長くなるように湾曲している。
【００５４】
この有機ＥＬパネル２０Ａのように、立体形状を有している場合、観測者からの距離や観測者の見る角度などによって、ブロック毎に輝度が異なる場合がある。
【００５５】
そこで、本発明の実施形態２に係る照明補正装置１Ａでは、有機ＥＬパネル２０Ａと同一形状を有する、予め均一な輝度となるように調整された有機ＥＬパネル２０Ｂ（図示しない）をカメラ３で撮像した撮像データに基づいて、有機ＥＬパネル２０Ａを調光する。
【００５６】
図５は、本発明の実施形態４に係る照明補正装置１Ａを含む照明補正システム１００の機能構成を示す図である。
【００５７】
図５に示すように、照明補正システム１００は、照明補正装置１Ａと、演算処理装置２と、カメラ３とを備えている。そのうち、演算処理装置２と、カメラ３とについては、上述したので、説明を省略する。
【００５８】
照明補正装置１Ａは、制御部１０Ａと、有機ＥＬパネル２０Ａと、電源回路４１と、調光入力部４２とを備える。これらの構成のうち、電源回路４１と、調光入力部４２とについては、本発明の実施形態１に係る照明補正装置１が備える同一符号が付された構成と同一であるので、説明を省略する。
【００５９】
有機ＥＬパネル２０Ａは、上述したように、面発光する９つのブロック２１〜２９で配列された有機発光層３２を有している。有機発光層３２は、上下方向の中央部からカメラ３までの距離が相対的に短く、上下端部からカメラ３までの距離が相対的に長くなるように湾曲している。
【００６０】
制御部１０Ａは、基準輝度算出部１５と、輝度算出部１６と、補正データ生成部１７と、メモリ１２と、調光回路１３とを備える。
【００６１】
基準輝度算出部１５は、面発光する９つのブロック２１〜２９で配列された有機発光層３２を有する有機ＥＬパネル２０Ｂをカメラ３で撮像した撮像データに基づいて、有機ＥＬパネル２０Ｂが有する有機発光層３２の９つのブロック２１〜２９ごとの輝度を基準輝度として算出する。
【００６２】
輝度算出部１６は、有機ＥＬパネル２０Ａをカメラ３で撮像した撮像データに基づいて、有機ＥＬパネル２０Ａが有する有機発光層３２の９つのブロック２１〜２９ごとの輝度を補正対象輝度として算出する。
【００６３】
補正データ生成部１７は、基準輝度算出部１５により算出された基準輝度に基づいて、輝度算出部１６により算出された補正対象輝度を補正するための補正データを生成し、メモリ１２に記憶させる。
【００６４】
メモリ１２は、例えば、不揮発性半導体等で構成され、補正データ生成部１７により生成された補正データを記憶する。具体的には、メモリ１２は、補正データとして、ブロック２１〜２９毎に、電流値及び電圧値それぞれの補正データを記憶している。
【００６５】
調光回路１３は、メモリ１２に記憶された補正データに基づいて、９つのブロック２１〜２９間の輝度が均一になるように、９つのブロック２１〜２９毎に有機ＥＬパネル２０へ印加させる電圧値及び電流値を制御設定値として決定する。
【００６６】
＜動作の説明＞
次に、本発明の実施形態２に係る照明補正装置１Ａを含む照明補正システム１００の動作について説明する。
【００６７】
本発明の実施形態２に係る照明補正装置１Ａを含む照明補正システム１００は、主に、基準輝度算出処理及び補正データ生成処理とを行う。そのため、各々の処理について以下に詳細に説明する。
【００６８】
≪基準輝度算出処理≫
本発明の実施形態２に係る照明補正装置１Ａを含む照明補正システム１００における基準輝度算出処理の詳細について説明する。
【００６９】
図６は、本発明の実施形態２に係る照明補正装置１Ａを含む照明補正システム１００における基準輝度算出処理を示したフローチャートである。ここでは、基準有機ＥＬパネル２０Ｂが、カメラ３により撮像される位置に設置されているとする。
【００７０】
図６に示すように、照明補正システム１００のカメラ３が、基準有機ＥＬパネル２０Ｂを撮像する（ステップＳ２０１）。
【００７１】
次に、制御部１０Ａの基準輝度算出部１５は、ブロック毎の基準輝度を算出する（ステップＳ２０３）。具体的には、基準輝度算出部１５は、面発光する９つのブロック２１〜２９で配列された有機発光層３２を有する有機ＥＬパネル２０Ｂをカメラ３で撮像した撮像データに基づいて、基準有機ＥＬパネル２０Ｂが有する有機発光層３２の９つのブロック２１〜２９ごとの輝度を基準輝度として算出する。
【００７２】
次に、補正データ生成部１７は、ステップＳ２０５において算出された基準輝度をメモリ１２に記憶させる（ステップＳ２０５）。
【００７３】
以上により、本発明の実施形態２に係る照明補正装置１Ａを含む照明補正システム１００は、有機ＥＬパネル２０Ａを補正する上でのリファレンスとなる基準有機ＥＬパネル２０Ｂが有する有機発光層３２の９つのブロック２１〜２９ごとの輝度を基準輝度として、記憶することができる。
【００７４】
≪補正データ生成処理≫
本発明の実施形態２に係る照明補正装置１Ａを含む照明補正システム１００における補正データ生成処理の詳細について説明する。
【００７５】
図７は、本発明の実施形態２に係る照明補正装置１Ａを含む照明補正システム１００における補正データ生成処理を示したフローチャートである。ここでは、有機ＥＬパネル２０Ａが、基準有機ＥＬパネル２０Ｂが撮像された際の位置と同じ位置に設置されているとする。
【００７６】
図７に示すように、照明補正システム１００のカメラ３が、有機ＥＬパネル２０Ａを撮像する（ステップＳ３０１）。
【００７７】
次に、制御部１０Ａの輝度算出部１６は、ブロック毎の対象輝度を算出する（ステップＳ３０３）。具体的には、輝度算出部１６は、面発光する９つのブロック２１〜２９で配列された有機発光層３２を有する有機ＥＬパネル２０Ａをカメラ３で撮像した撮像データに基づいて、有機ＥＬパネル２０Ａが有する有機発光層３２の９つのブロック２１〜２９ごとの輝度を対象輝度として算出する。
【００７８】
そして、補正データ生成部１７は、メモリ１２から基準輝度を読み込み（ステップＳ３０５）、カウンタｋの値に初期値として、“１”を代入する（ステップＳ３０７）。
【００７９】
次に、補正データ生成部１７は、基準輝度算出部１５により算出されたｋ番目のブロックの基準輝度が輝度算出部１６により算出されたｋ番目のブロックの補正対象輝度より大きいか否かを判定する（ステップＳ３０９）。
【００８０】
ステップＳ３０９において、基準輝度が補正対象輝度より大きいと判定された場合（ＹＥＳの場合）、補正データ生成部１７は、ｋ番目のブロックの基準輝度からｋ番目のブロックの補正対象輝度を減算し、この減算した値（差分）に相当する電流値及び電圧値の補正データを算出する（ステップＳ３１１）。
【００８１】
例えば、補正データ生成部１７は、図８に示す電流値又は電圧値に対する輝度の特性を示したグラフに基づいて、基準輝度から補正対象輝度を減算した値（差分）に相当する電流値及び電圧値の補正データを算出する。
【００８２】
一方、ステップＳ３０９において、基準輝度が補正対象輝度以下であると判定された場合（ＮＯの場合）、補正データ生成部１７は、基準輝度算出部１５により算出されたｋ番目のブロックの基準輝度が輝度算出部１６により算出されたｋ番目のブロックの補正対象輝度より小さいか否かを判定する（ステップＳ３１３）。
【００８３】
ステップＳ３１３において、基準輝度が補正対象輝度より小さいと判定された場合（ＹＥＳの場合）、補正データ生成部１７は、ｋ番目のブロックの補正対象輝度からｋ番目のブロックの基準輝度を減算し、この減算した値（差分）に相当する電流値及び電圧値の補正データを算出する（ステップＳ３１５）。
【００８４】
具体的には、ステップＳ３１１における処理と同様に、補正データ生成部１７は、図８に示す電流値又は電圧値に対する輝度の特性を示したグラフに基づいて、補正対象輝度から基準輝度を減算した値（差分）に相当する電流値及び電圧値の補正データを算出する。
【００８５】
一方、ステップＳ３１３において、基準輝度が補正対象輝度より小さくないと判定された場合（ＮＯの場合）、即ち、基準輝度と補正対象輝度とが同一であると判定された場合、補正データ生成部１７は、９つのブロック２１〜２９分の補正データを算出したか否かを判定する（ステップＳ３１７）。
【００８６】
ステップＳ３１７において、９つのブロック２１〜２９分の補正データを算出していないと判定された場合（ＮＯの場合）、補正データ生成部１７は、カウンタｋの値に、“１”だけ加算する（ステップＳ３１９）。
【００８７】
一方、ステップＳ３１７において、９つのブロック２１〜２９分の補正データを算出したと判定された場合（ＹＥＳの場合）、補正データ生成部１７は、算出した補正データをメモリ１２に書き込む（ステップＳ３２１）。具体的には、補正データ生成部１７は、ブロック２１〜２９毎に、電流値及び電圧値それぞれの補正データを記憶させる。
【００８８】
以上のように、本発明の実施形態２に係る照明補正装置１Ａによれば、輝度の基準となる複数のブロックで配列された有機発光層３２を有する基準有機ＥＬパネル２０Ｂをカメラで撮像した撮像データに基づいて、基準有機ＥＬパネル２０Ｂが有する発光層３２のブロックごとの輝度を基準輝度として算出する基準輝度算出部１５と、有機ＥＬパネル２０Ａをカメラ３で撮像した撮像データに基づいて、有機ＥＬパネル２０Ａが有する発光層３２のブロックごとの輝度を補正対象輝度として算出する輝度算出部１６と、基準輝度に基づいて、補正対象輝度を補正するための補正データを生成し、メモリ１２に記憶させる補正データ生成部１７とを備えるので、有機ＥＬパネル２０Ａが立体形状を有している場合においても、適切に輝度の均一化を行うことができる。
【００８９】
なお、本発明の実施形態２では、上下方向の中央部からカメラ３までの距離が相対的に短く、上下端部からカメラ３までの距離が相対的に長くなるように湾曲した有機ＥＬパネル２０Ａを備えた照明補正装置１Ａを例に挙げて説明したが、有機ＥＬパネル２０Ａの形状は、この形状に限らず、どのような立体形状でもよい。
【００９０】
また、本発明の実施形態２では、基準輝度算出部１５と、輝度算出部１６と、補正データ生成部１７とを有する制御部１０Ａを備えた照明補正装置１Ａを例に挙げて説明したが、これに限らない。基準輝度算出部１５と、輝度算出部１６と、補正データ生成部１７とは、演算処理装置２が備える構成としてもよい。この場合、演算処理装置２が備える補正データ生成部１７により生成されて供給された補正データをメモリ１２に記憶する。これにより、照明補正装置１Ａは、メモリ１２に記憶された補正データに基づいて、複数のブロック間の輝度が均一になるように、ブロックごとに有機ＥＬパネル２０Ａを発光させる制御設定値を決定することができるので、適切に輝度の均一化を行うことができる。
【００９１】
さらに、本発明の実施形態１，２では、面発光する有機ＥＬ素子を用いて、ブロック２１〜２９で配列された有機発光層３２を有する有機ＥＬパネルを備えた照明補正装置１，１Ａを例に挙げて説明したが、発光素子は、有機ＥＬ素子に限らず、他の自発光素子でもよい。即ち、面発光する素子であればよい。
【符号の説明】
【００９２】
１，１Ａ…照明補正装置
２…演算処理装置
３…カメラ
１０，１０Ａ…制御部
１１…記憶制御部
１２…メモリ
１３…調光回路（決定部）
１５…基準輝度算出部
１６…輝度算出部
１７…補正データ生成部
２０，２０Ａ…有機ＥＬパネル
２０Ｂ…基準有機ＥＬパネル
３１…透明電極
３２…有機発光層
３３…背面電極
４１…電源回路
４２…調光入力部
１００…照明補正システム
１００…照明補正装置
【産業上の利用の可能性】
【００９３】
本発明は、面発光する照明装置に対して、照明の均一性を得るために照明装置への出力値を補正する照明補正装置に適用することができる。
【図１】
2013128565.tif 000003
【図２】
2013128565.tif 000004
【図３】
2013128565.tif 000005
【図４】
2013128565.tif 000006
【図５】
2013128565.tif 000007
【図６】
2013128565.tif 000008
【図７】
2013128565.tif 000009
【図８】
2013128565.tif 000010
【国際調査報告】
2013128565.tif 000011
2013128565.tif 000012
2013128565.tif 000013
2013128565.tif 000014